(57)【要約】      （修正有）【課題】発光の均一度を高め、製品の経済効果を向上させる均一発光作用を有する、光るキーボードを提供する。【解決手段】キーボードは、基板１０、フレキシブル回路板２０、絶縁フレキシブル板３０、複数の架橋機構１５、それに対応する複数のキーキャップ５０により構成する。前記フレキシブル回路板の各キーキャップに対応する箇所には、プッシュ動作を生じさせるための押しボタン２５を設け、各押しボタンの周囲エッジに対応する各絶縁フレキシブル板は発光部品３５を備え、各発光部品の上方にはキーキャップに対応する導光シート４０を設ける。前述設計では、導光シートによりキーボード全体に光は均一に透過し、光線が暗い場合、発光部品は感光部品の感知によって自動発光し、作業環境の明暗度に基づき、明暗調節を行い、大幅に発光効果を改善する。【選択図】図１
0003161197.tif 000002
【実用新案登録請求の範囲】
【請求項１】
基板、フレキシブル回路板、絶縁フレキシブル板、導光シート、複数の架橋機構、及び複数のキーキャップにより構成される均一発光作用を有する、光るキーボードにおいて、
前記複数の架橋機構はそれぞれを基板に枢着し、しかも各架橋機構は順にフレキシブル回路板、絶縁フレキシブル板、導光シートの対応するくり貫き箇所に貫通させ、また、各架橋機構の各上端にはプッシュするためのキーキャップを嵌設し、
前記フレキシブル回路板には各架橋機構の範囲内に対応する押しボタンを備え、フレキシブル回路板上方に設けた絶縁フレキシブル板には架橋機構と押しボタンを貫通させるためのくり貫き部を備え、更に、絶縁フレキシブル板は二つの表面を有し、その内の上向きの表面には貫通した前記各押しボタンの周囲エッジに発光部品を設け、前記発光部品は作業環境の明暗に基づき自動起動および明るさ調節をし、
前記絶縁フレキシブル板の各発光部品上方には架橋機構と押しボタンを貫通する導光シートを設け、各導光シートはそれぞれ各架橋機構上のキーキャップに対応し、
以上の構成により、構造が簡単で、光源が均等化することを特徴とする均一発光作用を有する、光るキーボード。
【請求項２】
請求項１記載の均一発光作用を有する、光るキーボードにおいて、前記基板上には架橋機構を枢着するための複数の嵌合部を形成することを特徴とする均一発光作用を有する、光るキーボード。
【請求項３】
請求項１記載の均一発光作用を有する、光るキーボードにおいて、前記キーキャップは光透過性材質により製作することを特徴とする均一発光作用を有する、光るキーボード。
【請求項４】
請求項１記載の均一発光作用を有する、光るキーボードにおいて、前記発光部品は発光ダイオード、コールドライト光源、レーザーダイオードより選択することを特徴とする均一発光作用を有する、光るキーボード。
【請求項５】
請求項１記載の均一発光作用を有する、光るキーボードにおいて、前記絶縁フレキシブル板の一表面には発光部品の正極端に接続する正極導線を形成し、絶縁フレキシブル板の他表面には発光部品の負極端に接続する負極導線を備えることを特徴とする均一発光作用を有する、光るキーボード。
【請求項６】
請求項５記載の均一発光作用を有する、光るキーボードにおいて、前記絶縁フレキシブル板の正極導線と負極導線は、電源接続線で制御回路端子に接続することを特徴とする均一発光作用を有する、光るキーボード。
【請求項７】
請求項１記載の均一発光作用を有する、光るキーボードにおいて、前記絶縁フレキシブル板は光透過性でないバックライト材質で製作することを特徴とする均一発光作用を有する、光るキーボード。
【考案の詳細な説明】
【技術分野】
【０００１】
本考案はキーボードの技術領域に属し、具体的には、昼間または夜間の何れにも発光作用を有するキーボードに関し、その発光の均一度を高め、製品の経済効果を向上させるものである。
【背景技術】
【０００２】
キーボードは、使用者がパソコン等の処理装置でデータ入力をするためのヒューマンインターフェースデバイスであり、一般のキーボードの基板上にはキー数に対応する架橋機構を設計し、各架橋機構は順に、フレキシブル回路板および絶縁フレキシブル板を通しており、しかも、各架橋機構には対応するキーカバーを嵌設し、フレキシブル回路板には絶縁フレキシブル板を設けて各キーカバーの押しボタンを対応させ、更に、キーボード上には一シリーズのキーを形成する。使用者が異なるキーのキーキャップを押すと、押しボタンが下方向に圧せられてフレキシブル回路板上に対応する回路に接触し通電し、対応する入力効果が生じる。また、キーキャップを放すと、押しボタンと架橋機構の回復力によりキーキャップが元の位置に戻るため、引き続き次のプッシュ作業を繰り返し行える。
【０００３】
近来、市場には見る値打ちと実用性を高めるために各キー上に発光部品を備え、使用者がキー位置及び機能を識別し易いようにしたキーボードが出現した。特許文献１、特許文献２、及び特許文献３等である。その内、特許文献１は、導光板とバックライト板を基板下方に配置し、発光部品を導光板周囲エッジの一方側に設けているため、キーボード全体の厚みを増加するだけでなく、導光板の光線が基板、フレキシブル回路板、絶縁フレキシブル板等に阻止されて、発光効果は思わしくなく、ひどい状況においては、ただキー周囲が僅かに発光するのみであり、使用者の要望に応えられていない。また、特許文献２では、発光部品を絶縁フレキシブル板上に設けているため光源が阻止される現象は減るが、導光設計がない故、その光源は均一ではなく、しかも発光部品の正極導線、負極導線を同一表面が位置しているおり、キーボードの各キー間には通常隙間が生じる故に、微粒子、繊維、髪の毛等の異物が進入し易く、ショート発生による発光部品の損傷を引き起こし、キーボードの使用寿命に影響を与える。並びに、前案の図面において押しボタンは絶縁板上に配置しており、通電重圧や不成立の問題がある。また、特許文献３では、主に、キーボード上の各文字キーの特定象限（第一、第二、第三象限）の局部発光を、使用する入力モードに基づいて選択できるため、使用者は使用する入力法（例えば、英文入力、中国語の注音母字入力、中国語の倉頡入力）中の各文字の関連キーを簡単に探せるが、光ファイバーを配列して各キーに対応させている故、全体構造は非常に複雑なものとなり、キー動作にも何らかの影響を与えているので、知らぬ間に製造コストを高め、動作のスムーズ性にも関連する。
【０００４】
言い換えれば、現有するキーボードでは、厚みが薄く、均一性を有し、低コストの発光キーボードを効果的に提供することはできず、キーボードの付加価値を低下させ、経済効果にも影響を与える。
【０００５】
前記の問題に鑑み、本考案者は前述の発光キーボードが向き合う問題を深く研究し、長年、関連産業の開発および製造に従事した経験に基づき、積極的に解決方法を探求、研究と発展に絶え間なき努力を積み重ね、ついに均一発光作用を有する、光るキーボードを生み出した。これにより、公知技術では簡単な構造と発光の均一性の両方を兼ね備えられなかった不便と困難を克服する。
【先行技術文献】
【特許文献】
【０００６】
【特許文献１】台湾実用新案第Ｍ３２４８１６號明細書
【特許文献２】台湾実用新案第Ｍ３４７６１８號明細書
【特許文献３】台湾実用新案第Ｍ３５７００８號明細書
【考案の概要】
【考案が解決しようとする課題】
【０００７】
本考案の目的は、構造を簡素化し、しかも光源を均等に対応するキー上に分布させ、経済効果を高める均一発光作用を有する、光るキーボードを提供することにある。
【０００８】
本考案のもう一つの目的は、ショート発生現象を防止し、効果的に使用寿命を延ばすことが可能な均一発光作用を有する、光るキーボードを提供することにある。
【課題を解決するための手段】
【０００９】
よって、本考案は主に、次の技術手段を用いて、具体的に本考案の各目的と効果を実現するものであり、基板、フレキシブル回路板、絶縁フレキシブル板と導光シート、複数の架橋機構とそれに対応する複数のキーキャップとにより構成される。
前記複数の架橋機構は、それぞれを基板に枢着し、各架橋機構は順に、フレキシブル回路板、絶縁フレキシブル板、導光シートの対応するくり貫き箇所を貫通し、また、各架橋機構の各上端にはプッシュするためのキーキャップを嵌設する。
また、フレキシブル回路板には各架橋機構の範囲内に対応する押しボタンを備え、フレキシブル回路板上方に設けた絶縁フレキシブル板には架橋機構と押しボタンを貫通させるためのくり貫き部を備え、更に、絶縁フレキシブル板は二つの表面を有し、その内の上向きの表面には貫通した前記各押しボタンの周囲エッジに発光部品を設け、前記発光部品は作業環境の明暗に基づき自動起動および明るさ調節をする。
前記絶縁フレキシブル板の各発光部品上方には架橋機構と押しボタンを貫通する導光シートを設け、各導光シートはそれぞれ、各架橋機構上のキーキャップに対応する。
【考案の効果】
【００１０】
本考案の光るキーボードは、作業環境の明暗度に基づいて自動起動や発光部品の生じる光源調節を行い、導光シートによってキーキャップを透過する光を均一にして大幅に発光効果を改善する。しかも、微粒子、繊維、髪の毛を起因とする発光部品のショート損傷を防止する故、本考案の光るキーボードは「発光の均一性、構造の簡素化、使用寿命の延長」等方面において公知技術と比較し更に効果を増強するものとなる。
【図面の簡単な説明】
【００１１】
【図１】本考案の均一発光作用を有する、光るキーボードの一部である単一キーに関する立体分解図であり、主な構成要素を説明する。
【図２】本考案の均一発光作用を有する、光るキーボードでの絶縁フレキシブル板に関する表面図であり、発光部品及び正極導線と負極導線の状態を説明する。
【図３】本考案の均一発光作用を有する、光るキーボードの一部である単一キーに関する立体外観図であり、その構成状態を示す。
【図４】本考案の均一発光作用を有する、光るキーボードの一部である単一キーに関する側面断面図であり、その内部の構成状態を示す。
【考案を実施するための形態】
【００１２】
本考案の構成、特徴、及びその他目的を御理解いただくために、次に図面を参照した若干の実施例を取り上げて本考案の詳細説明を行う。これにより、当該技術領域の熟知者にも具体的な実施を可能にする。
【００１３】
本考案は均一発光作用を有する、光るキーボードであり、次に図面を参照し開示した本考案の光るキーボードの具体的な実施例およびその構成要素において、前後、左右、上面と底部、上部と下部、及び水平と垂直に関する全ては参考的、便宜的に描写したのみであり、本考案の実施範囲を制限するものではなく、しかもその構成要素を何れかの位置もしくは空間方向に制限するものでもない。また、図面と明細書中に指定したサイズは、本考案の出願特許範囲内を逸脱せずに本考案の具体的な実施例の設計と要望に基づいて変化させることが可能である。
【００１４】
本考案の光るキーボードは、図１に示す通り、基板１０、フレキシブル回路板２０、絶縁フレキシブル板３０、導光シート４０、複数の架橋機構１５、それに対応する複数のキーキャップ５０により構成される。
【００１５】
本考案の実施例の構成に関する詳細は、図１、３、４に示す通りであり、基板１０上には複数の嵌合部１１を形成し、カット式機構を呈する複数の架橋機構１５をそれぞれ基板１０の嵌合部１１に対応させて枢着すると、架橋機構１５は基板１０に対して下方向に密着するか上方向に伸びるかを選択し、しかも各架橋機構１５は順にフレキシブル回路板２０、絶縁フレキシブル板３０、導光シート４０の対応するくり貫き箇所を貫通し、また、各架橋機構１５の上端にはそれぞれプッシュするためのキーキャップ５０を嵌設し、前記キーキャップ５０は光透過性材質を選び、更に塗装及びレーザー彫刻を経て製作される。
【００１６】
また、フレキシブル回路板２０には各架橋機構１５の範囲内に対応する押しボタン２５を備え、フレキシブル回路板２０表面の各押しボタン２５に対応する箇所に通路となる回路を形成し（未図示）、押しボタン２５内には前記回路接続を選択的に行う通電接触体（未図示）を備えて、押しボタン２５が下方向にプッシュされて変形した時、通電接触体を回路につないでキー作用を生じさせる。
【００１７】
絶縁フレキシブル板３０はフレキシブル回路板２０の上方に設け、絶縁フレキシブル板３０には架橋機構１５と押しボタン２５を貫通させるためのくり貫き部を備え、更に、絶縁フレキシブル板３０は、上向きの第一表面３１と下向きの第二表面３２とに定義した二つの表面を有し、前記上向きの第一表面３１の貫通する前記押しボタン２５周囲エッジには発光部品３５を設け、前記発光部品３５は発光ダイオード（ＬＥＤ）、コールドライト光源（ＣＬＳ）、レーザーダイオード（ＬＤ）等から選択する。更に、絶縁フレキシブル板３０の発光部品３５には計二種類の導線タイプがあるが、その一つは導線を二表面に分けて配置する全面式または多線式で、ショート防止可能で接続が断たれても作動する。もう一つは、発光部品３５の導線を同一表面に設置し、ジャンパー線設計によって、時間を節約し高効率を達成するものである。本考案は、図２に示す通り、導線を二表面に分けて設置する実施例を主とし、絶縁フレキシブル板３０の第一表面３１には発光部品３５の正極端に接続する正極導線３６を形成し、絶縁フレキシブル板３０の第二表面３２は発光部品３５の負極端に接続する負極導線３７を備え、電源接続線３９で制御回路端子に接続し、前記制御回路に備える少なくとも一つの感光部品によって、作業環境の明暗度に基づき発光部品３５を自動起動させたりして明るさ調節をさせ、作業環境が暗くなった時、発光部品３５は制御回路中の感光部品を通して検知し、自動的に光源を発し、明暗度の調整を行う。
【００１８】
また、絶縁フレキシブル板３０の各発光部品３５上方には架橋機構１５と押しボタン２５を貫通する導光シート４０を設け、各導光シート４０の形状及び大きさは各架橋機構１５上のキーキャップ５０に対応させ、各導光シート４０により発光部品３５に対応する光源を均一に対応するキーキャップ５０に分布させ、図４に示す通り、光源の均一度を向上させる。
【００１９】
以上により、構造が簡単で、光源が均等化する均一発光作用を有する、光るキーボードが構成される。
【００２０】
前記の構造設計と説明に基づき、本考案の光るキーボードを実際に応用する場合の操作は、図３及び図４に示す通りであるが、使用者がそれぞれのキーのキーキャップ５０をプッシュし、押しボタン２５を下向きに圧すると、フレキシブル回路板２０上の対応する回路に接触通電し、対応する入力信号を生成する。作業環境が暗くなると、制御回路中の感光部品がそれを即刻探知し、同時に、信号は電源接続線３９の正極導線３６と負極導線３７を通して対応する発光部品３５を通電させるため、発光部品３５は光源を生じさせ、明暗度の調節を行う。発光部品３５上には導光シート４０が設けられているため、前記光源は均一に上向きに導から、光透過性キーキャップ５０から突き抜ける。
【００２１】
前記キーキャップ５０を放すと、押しボタン２５と架橋機構１５の回復力により、キーキャップ５０は元の位置に戻り、次のプッシュ動作を繰り返し行えるようになる。
【００２２】
前記構造設計及び動作原則から理解される通り、本考案は、効果的に構造を簡素化し、光源を均等に対応するキー上に分布させ、しかも導光シートの働きによりキーキャップから均等に光を透過させるため、大幅に発光効果を増強し、微粒子、繊維、髪の毛を起因とする発光部品のショート損傷を防止し、効果的にその使用寿命を延ばし、製品の付加価値を向上させて経済効果を高めるものである。
【符号の説明】
【００２３】
１０  基板
１１  嵌合部
１５  架橋機構
２０  フレキシブル回路板
２５  押しボタン
３０  絶縁フレキシブル板
３１  第一表面
３２  第二表面
３５  発光部品
３６  正極導線
３７  負極導線
３９  電源接続線
４０  導光シート
５０  キーキャップ
【図１】
0003161197.tif 000003
【図２】
0003161197.tif 000004
【図３】
0003161197.tif 000005
【図４】
0003161197.tif 000006